(57)【特許請求の範囲】
【請求項１】
カム機構を介して回転駆動源を演出可動部材に連結して備え、遊技の進行状況に応じて前記演出可動部材を往復動作させて遊技を演出する遊技機において、
前記カム機構は、前記回転駆動源によって一方向に回転駆動されるカムと、そのカムに摺接して往復動作するカム従動部材とを含んでなりかつ、ケースに収容されてカム機構ユニットとされ、
前記演出可動部材は、前記ケースの前方に配置されて、前記ケースの前端壁に形成された前面貫通孔を介して前記カム従動部材に連結され、
前記回転駆動源の本体は、前記ケースの後面に固定されて、前記ケース内に突入した前記回転駆動源の回転出力軸に前記カムが一体回転可能に固定され、
前記ケースは、前記前端壁を含んだ第１のケース構成体と前記ケースの後端壁を含んだ第２のケース構成体とに分割され、
前記第１のケース構成体には、前記前端壁から後方に起立したケース側壁と、そのケース側壁によって側方を覆われ、前記カム及び前記カム従動部材を収容したカム機構収容空間とが備えられ、
前記第２のケース構成体には、前記後端壁に形成されて前記回転駆動源の本体が固定された駆動源固定部と、前記駆動源固定部から前記第２のケース構成体の外縁部まで延びて側方に開放し、前記回転駆動源の回転出力軸の先端部に前記カムを固定した状態で前記回転出力軸の基端部を側方から受容可能な軸移動溝とが備えられ、
前記軸移動溝の中間位置には、前記軸移動溝の一方の内側面から突出し、前記回転出力軸の基端部を前記軸移動溝の側方開放口側に移動することを規制するための逆戻り規制突部が形成されたこと特徴とする遊技機。
【請求項２】
前記軸移動溝の内側面のうち前記逆戻り規制突部に対向した部分を窪ませて内側面凹部を設けたことを特徴とする請求項１に記載の遊技機。
【請求項３】
前記回転駆動源の回転出力軸のうち前記カムより基端側に固定された位置検出用円板と、
前記位置検出用円板に形成された検出スリットと、
前記第２のケース構成体の内面に固定され、互いに隙間を開けて対峙し、間に前記位置検出用円板を受容した１対の対向突部と、
前記１対の対向突部に固定され、前記検出スリットを通して相互間で信号を送受信可能な１対の位置検出素子とを備えたことを特徴とする請求項１又は２に記載の遊技機。
【請求項４】
１つの前記カムに対して前記カム従動部材及び前記演出可動部材を複数設けたことを特徴とする請求項１乃至３の何れかに記載の遊技機。
【請求項５】
前記回転駆動源の本体から側方に張り出した固定片と、前記固定片に貫通形成された取付孔と、前記第２のケース構成体の後面から突出し、前記固定片の側面に対向して前記固定片を位置決めする位置決め突起と、前記第２のケース構成体に形成され、前記取付孔に後方から挿入した螺子又はリベットを固定するための固定孔とを備え、前記第２のケース構成体のうち前記逆戻り規制突部の後面に前記位置決め突起を配置したことを特徴とする請求項１乃至４の何れかに記載の遊技機。
【請求項６】
液晶表示装置を有し、その液晶表示装置の周囲に配置された装飾枠の一部に前記カム機構ユニットが組み付けられたことを特徴とする請求項１乃至５の何れかに記載の遊技機。
【発明の詳細な説明】
【技術分野】
【０００１】
本発明は、カム機構を介して回転駆動源を演出可動部材に連結して備え、遊技の進行状況に応じて演出可動部材を往復動作させて遊技を演出する遊技機に関する。
【背景技術】
【０００２】
この種の従来の遊技機の一例として図１６に示したものは、カム機構１を構成するカム１Ａ、カム従動部材１Ｂ、及び、複数のギヤ５Ａ，５Ｂ，５Ｃ，・・を部品収容部屋２に収容して備えている。また、部品収容部屋２の後面は開放しており、その開放口が後面壁３にて閉塞されている。
【０００３】
組み付け時には、部品収容部屋２から外した後面壁３の後面に回転駆動源４の本体４Ａを固定すると共に、後面壁３の前方に突出した回転駆動源４の回転出力軸４Ｂにギヤ５Ａを固定しておき、そのギヤ５Ａ以外の他のギヤ５Ｂ，５Ｃ，・・とカム１Ａ及びカム従動部材１Ｂを部品収容部屋２内に組み付けておく。そして、後面壁３で部品収容部屋２の後面開放口を閉じると同時に、ギヤ５Ａと他のギヤ５Ｂに噛合させていた。
【０００４】
ところで、組み付け時に後面壁３を部品収容部屋２に接近させる途中でギヤ５Ａ，５Ｂの端面５Ｚ，５Ｚ同士が当接し、それ以上、後面壁３を部品収容部屋２に接近させることができない場合がある。この場合、後面壁３と共にギヤ５Ａを１歯分だけ回動させるか、側方に平行移動して、先ずは後面壁３を部品収容部屋２に接近させて、ギヤ５Ａ，５Ｂの歯面同士を対向させる。そして、ギヤ５Ａ，５Ｂ同士を噛合させた後、後面壁３を部品収容部屋２の正規組付位置に移動する作業を行っていた（例えば、特許文献１参照）。
【特許文献１】特開２００７−１９５８１０号公報（第５図、第８図）
【発明の開示】
【発明が解決しようとする課題】
【０００５】
しかしながら、上記した従来の遊技機は、カム機構１に複数のギヤ５Ａ，５Ｂ，５Ｃ，・・が備えられているので製造コストが高くなるという問題があった。これに対し、製造コストを抑えるべく、上記ギヤ５Ａ，５Ｂ，５Ｃ，・・を廃止して回転駆動源４の回転出力軸４Ｂに直にカム１Ａを固定すると、後面壁３を部品収容部屋２に組み付ける作業が困難になるいう問題が生じる。具体的には、後面壁３を部品収容部屋２に接近させる途中でカム１Ａとカム従動部材１Ｂの端面１Ｚ，１Ｚ同士が当接すると、上記ギヤ５Ａ，５Ｂの端面５Ｚ，５Ｚ同士が当接した場合に比べ、後面壁３を部品収容部屋２の正規組付位置から大きく回動させるか大きく平行移動させなければならず、例えば、後面壁３が部品収容部屋２の凹凸部分に引っ掛かって正規取付位置に移動することができない事態が生じ得た。
【０００６】
本発明は、上記事情に鑑みてなされたもので、従来より製造コストを抑えることができかつ、組み付け作業を容易に行うことが可能な遊技機の提供を目的とする。
【課題を解決するための手段】
【０００７】
上記目的を達成するためになされた請求項１の発明に係る遊技機は、カム機構を介して回転駆動源を演出可動部材に連結して備え、遊技の進行状況に応じて演出可動部材を往復動作させて遊技を演出する遊技機において、カム機構は、回転駆動源によって一方向に回転駆動されるカムと、そのカムに摺接して往復動作するカム従動部材とを含んでなりかつ、ケースに収容されてカム機構ユニットとされ、演出可動部材は、ケースの前方に配置されて、ケースの前端壁に形成された前面貫通孔を介してカム従動部材に連結され、回転駆動源の本体は、ケースの後面に固定されて、ケース内に突入した回転駆動源の回転出力軸にカムが一体回転可能に固定され、ケースは、前端壁を含んだ第１のケース構成体とケースの後端壁を含んだ第２のケース構成体とに分割され、第１のケース構成体には、前端壁から後方に起立したケース側壁と、そのケース側壁によって側方を覆われ、カム及びカム従動部材を収容したカム機構収容空間とが備えられ、第２のケース構成体には、後端壁に形成されて回転駆動源の本体が固定された駆動源固定部と、駆動源固定部から第２のケース構成体の外縁部まで延びて側方に開放し、回転駆動源の回転出力軸の先端部にカムを固定した状態で回転出力軸の基端部を側方から受容可能な軸移動溝とが備えられ、軸移動溝の中間位置には、軸移動溝の一方の内側面から突出し、回転出力軸の基端部を軸移動溝の側方開放口側に移動することを規制するための逆戻り規制突部が形成されたところに特徴を有する。
【０００８】
請求項２の発明は、請求項１に記載の遊技機において、軸移動溝の内側面のうち逆戻り規制突部に対向した部分を窪ませて内側面凹部を設けたところに特徴を有する。
【０００９】
請求項３の発明は、請求項１又は２に記載の遊技機において、回転駆動源の回転出力軸のうちカムより基端側に固定された位置検出用円板と、位置検出用円板に形成された検出スリットと、第２のケース構成体の内面に固定され、互いに隙間を開けて対峙し、間に位置検出用円板を受容した１対の対向突部と、１対の対向突部に固定され、検出スリットを通して相互間で信号を送受信可能な１対の位置検出素子とを備えたところに特徴を有する。
【００１０】
請求項４の発明は、請求項１乃至３の何れかに記載の遊技機において、１つのカムに対してカム従動部材及び演出可動部材を複数設けたところに特徴を有する。
【００１１】
請求項５の発明は、請求項１乃至４の何れかに記載の遊技機において、回転駆動源の本体から側方に張り出した固定片と、固定片に貫通形成された取付孔と、第２のケース構成体の後面から突出し、固定片の側面に対向して固定片を位置決めする位置決め突起と、第２のケース構成体に形成され、取付孔に後方から挿入した螺子又はリベットを固定するための固定孔とを備え、第２のケース構成体のうち逆戻り規制突部の後面に位置決め突起を配置したところに特徴を有する。
【００１２】
請求項６の発明は、請求項１乃至５の何れかに記載の遊技機において、液晶表示装置を有し、その液晶表示装置の周囲に配置された装飾枠の一部にカム機構ユニットが組み付けられたところに特徴を有する。
【発明の効果】
【００１３】
［請求項１及び２の発明］
請求項１の遊技機に備えたカム機構ユニットを組み立てる際には、回転駆動源の回転出力軸における先端部にカムを一体回転可能に固定しておき、回転駆動源の回転出力軸における基端部を第２のケース構成体に形成された軸移動溝の側方開放口に進入させる。このとき、回転駆動源の本体を第２のケース構成体の後面側に配置する一方、カムを第２のケース構成体の前面側に配置する。そして、回転駆動源の本体とカムとの間に第２のケース構成体における軸移動溝の縁部を挟んだ状態としてその軸移動溝の奥側へと回転駆動源を移動して行き、軸移動溝の一方の内側面から突出した逆戻り規制突部より軸移動溝の奥側に回転駆動源の回転出力軸を配置する。これにより、第２のケース構成体に対して回転駆動源が回転及び平行移動可能であると共に、逆戻り規制突部により、回転駆動源の回転出力軸が軸移動溝の側方開放口側に移動することを規制された仮組み付け状態になる。
【００１４】
この仮組み付け状態で第２のケース構成体を第１のケース構成体に接近させる。その接近の途中で、カムとカム従動部材の端面同士が当接した場合には、回転駆動源の回転出力軸を第２のケース構成体に対して軸移動溝内で回転又は平行移動して、カムとカム従動部材の端面同士の当接範囲が減るように調節する。これにより、第２のケース構成体と第１のケース構成体との正規組付位置から従来のように大きくずらさなくても、カムとカム従動部材の摺動面同士が対向する位置に位置合わせして第２のケース構成体を第１のケース構成体に接近させることができ、その後、容易に第２のケース構成体を第１のケース構成体の正規取付位置に移動して第１と第２のケース構成体同士を合体させることができる。
【００１５】
このように本発明によれば、組み付け作業を従来より容易に行うことができる。しかも、回転駆動源の回転出力軸にカムを直に固定したので、従来のギヤが不要になり製造コストを抑えることもできる。
【００１６】
なお、軸移動溝は、逆戻り規制突部を備えた中間位置が幅狭になっていてもよいし、請求項２の構成のように、軸移動溝の内側面のうち逆戻り規制突部に対向した部分を窪ませて内側面凹部を設けることで、幅狭になることを回避してもよい。
【００１７】
［請求項３の発明］
請求項３の構成によれば、カムと共に回転する位置検出用円板によって、通常は、１対の位置検出素子の間の信号の送受信が遮られ、カムが所定の回転位置になると、位置検出用円板の検出スリットを通して１対の位置検出素子の間で信号の送受信が可能になる。これにより、カムが所定の回転位置に配置されているか否かを検出することができる。
【００１８】
［請求項４の発明］
請求項４の構成によれば、１つの駆動源で複数の演出可動部材を往復動作させることができる。また、それらを１つの回転駆動源で駆動させることができるので、コストの上昇を抑えることができる。
【００１９】
［請求項５の発明］
請求項５の発明によれば、回転駆動源の固定片の側面に対向する位置決め突起を設けたので、回転駆動源の本体の正規固定位置に容易に位置決めすることができる。さらに、第２のケース構成体のうち逆戻り規制突部の上面に位置決め突起を配置したので、第２のケース構成体の後端壁のスペースの有効利用が図られる。
【００２０】
［請求項６の発明］
請求項６の発明によれば、液晶表示装置の周囲に配置される装飾枠の一部にカム機構演出ユニットが組み付けられているので、演出可動部材の動作が遊技者の目に止まりやすい。
【発明を実施するための最良の形態】
【００２１】
以下、本発明を適用したパチンコ遊技機１０に係る一実施形態を、図１〜図１３に基づいて説明する。図１に示すように、本実施形態のパチンコ遊技機１０の遊技板１１には、ガイドレール１２で囲まれたほぼ円形の遊技領域Ｒ１が形成され、その遊技領域Ｒ１内に液晶表示画面３４が備えられている。遊技領域Ｒ１のうち液晶表示画面３４の下方領域のうち左右方向の中央部には、第１及び第２の始動入賞口１４Ａ，１４Ｂ、大入賞口１５及びアウト口１６が上から順番に並べて設けられ、左右の両側部には、ガイドレール１２に沿って一般入賞口２０，２１及びサイドランプ２２がそれぞれ設けられている。また、液晶表示画面３４の左側方には始動ゲート１８が設けられ、その始動ゲート１８の下方には、風車１９及び普通図柄表示部２４が設けられている。そして、遊技領域Ｒ１全体に亘って、図示しない複数の障害釘が起立している。
【００２２】
遊技板１１は前側を前面枠１０Ｚにて覆われ、その前面枠１０Ｚに形成されたガラス窓１０Ｗを通して遊技領域Ｒ１が前方に臨んでいる。前面枠１０Ｚのうちガラス窓１０Ｗの上方には左右に１対のスピーカ２５，２５が設けられ、ガラス窓１０Ｗより下方には、上皿２７Ａ及び下皿２７Ｂが上下２段にして設けられている。そして、下皿２７Ｂの右端部に備えた操作ノブ２８を回動操作すると、上皿２７Ａに収容された遊技球が遊技領域Ｒ１に向けて弾き出される。なお、上皿２７Ａに備えたボタン２９を押すと上皿２７Ａに収容されている遊技球が下皿２７Ｂへと移動する。
【００２３】
次に所要の各部位についてさらに詳説する。一般入賞口２０，２１は、所謂、ポケット構造をなし、遊技球が丁度１つ入球可能な大きさで上方に開口している。そして、各一般入賞口２０，２１に入った遊技球は、遊技板１１に設けた貫通孔１１Ａ（図２参照）を通って、遊技板１１の裏側に回収される。そして、これら各一般入賞口２０，２１に遊技球の１球の入賞を検出する度に、例えば、４個の賞球が上皿２７Ａに払い出される。
【００２４】
始動ゲート１８は、遊技球が通過可能な門形構造をなし、通過した遊技球は始動ゲート１８に内蔵されたゲートスイッチ（図示せず）によって検出される。この検出信号に基づいて、普通図柄表示部２４の図柄が変動表示される。その普通図柄表示部２４は、「０」〜「９」までの数字からなる数字図柄が所定期間に亘って変動表示された後、所定の数字図柄が停止表示される。
【００２５】
第１及び第２の始動入賞口１４Ａ，１４Ｂは、上下に並べて配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた貫通孔１１Ｂ（図２参照）を通って、遊技板１１の裏側に回収される。
【００２６】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。そして、普通図柄表示部２４で停止表示された数字図柄が奇数になると、遊技板１１の裏に設けた普通電動役物ソレノイド（図示せず）が駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。また、第１及び第２の各始動入賞口１４Ａ，１４Ｂ内に遊技球の１球の入賞を検出する度に、例えば、４個の賞球が上皿２７Ａに払い出されると共に、遊技の当否判定が行われ、その当否判定の結果が、液晶表示画面３４に表示される。
【００２７】
液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞して当否判定が行われたときに、これら３つの特別図柄１３Ａ，１３Ｂ，１３Ｃが、上下方向にスクロール表示され、所定時間後に、例えば、左、中、右の順で各特別図柄１３Ａ，１３Ｂ，１３Ｃが停止表示される。このとき、遊技の当否判定の結果が「大当たり」であれば、例えば、全ての特別図柄１３Ａ，１３Ｂ，１３Ｃが同じ図柄、即ち、ぞろ目になる。
【００２８】
また、左右の特別図柄１３Ａ，１３Ｃが同じ図柄で停止表示し、中特別図柄１３Ｂのみが変動表示したリーチ状態となると、液晶表示画面３４には所定のリーチ演出画像（例えばキャラクタ画像）が表示される。
【００２９】
液晶表示画面３４において特別図柄１３Ａ，１３Ｂ，１３Ｃが変動表示又は「大当たり状態」の最中に始動入賞口１４Ａ，１４Ｂに入賞した場合、その入賞球は保留球として最大で４個まで記憶され、その保留記憶数（保留球数）が、液晶表示画面３４の下端部に備えた保留数表示部３４Ｅに表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。
【００３０】
なお、前面枠１０Ｚの左下隅に備えた遊技ボタン２７Ｃを押圧すると、液晶表示画面３４で変動表示されている特別図柄１３Ａ，１３Ｂ，１３Ｃ以外の画像（例えば、キャラクタ画像）を、遊技者の任意のタイミングで停止させることができる。
【００３１】
大入賞口１５は、横長矩形に形成されて、常には、可動扉１５Ｔにて閉塞されている。パチンコ遊技機１０が「大当たり状態」になると、遊技板１１の裏に設けた図示しない大入賞口ソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。
【００３２】
ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３３】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた大入賞口第１スイッチ（図示せず）が遊技球の入賞を検出すると、前述した終了条件を満たしてラウンドが終了した後で、連続して次のラウンドが実行される。また、計数入賞口内に設けた大入賞口第２スイッチ（図示せず）が遊技球の入賞を検出すると、継続入賞口への入賞球とあわせて、大入賞口１５への入賞球がカウントされ、これらが前記したように計１０個に達したか否かがチェックされる。なお、大入賞口１５に遊技球が入賞すると、その度に、例えば、１５個の遊技球が上皿２７Ａに払い出される。
【００３４】
遊技領域Ｒ１内に液晶表示画面３４を設けるために、図２に示すように、遊技板１１には画像表示窓１１Ｗが貫通形成されている。画像表示窓１１Ｗの縁部には、遊技板１１の前面側から前側装飾枠２３が宛がわれる一方、遊技板１１の後面側から後側装飾枠３２が宛がわれ、それら前側装飾枠２３と後側装飾枠３２とが画像表示窓１１Ｗを通して互いに組み付けられている。そして、液晶表示画面３４を前面略全体に備えた図示しない液晶モジュール（詳細には、ＴＦＴ−ＬＣＤモジュール）が後側装飾枠３２の後面に固定され、その液晶表示画面３４が前側装飾枠２３及び後側装飾枠３２を介して前方に臨んでいる。なお、前側装飾枠２３と後側装飾枠３２とによって本発明の「装飾枠」が構成されている。
【００３５】
詳細には、画像表示窓１１Ｗは、横長の長方形の左右縁部及び下縁部に複数の凹凸を設け、上縁部の右寄り部分を上方に膨らませた形状になっている。前側装飾枠２３は、画像表示窓１１Ｗの縁部と略同一の形状をなして画像表示窓１１Ｗ内に嵌合される嵌合壁２３Ｋを有し、その嵌合壁２３Ｋの前端部から側方に張り出したフランジ壁２３Ｆを遊技板１１の前面に当接させた状態で図示しないビスにより遊技板１１に固定されている。
【００３６】
図２に示すように、後側装飾枠３２は、全体が横長の長方形になっており、その外縁部分は前側装飾枠２３の後端部を側方から覆う枠壁３２Ｗになっている。そして、枠壁３２Ｗの前端縁からは側方にフランジ壁３２Ｆが張り出されており、遊技板１１の後面に宛がってビス止めされている。また、枠壁３２Ｗの後端縁全体からは、内側に支持板３２Ｄが張り出されている。さらに、支持板３２Ｄの後面からは、図示しない枠形壁が突出しており、その枠形壁の内部に液晶モジュールが嵌合固定されている。
【００３７】
支持板３２Ｄの前面には液晶画面３４の周囲を囲むように複数（例えば６つ）の可動部材が備えられている。図２にはそれらのうち、支持板３２Ｄの右辺部分に備えられた回動演出体３３と、支持板３２Ｄの上辺右寄り部分に備えられたカム機構ユニット５０が示されている。回動演出体３３は、上下方向に延びた形状をしており、下部に備えた回動駆動部３３Ｋによって支持板３２Ｄに固定されている。回動駆動部３３Ｋには図示しないモータが備えられ、複数のギアを介して回動演出体３３を回動させて液晶表示画面３４の前面側に移動可能としている。そして、遊技の進行状況に応じて回動駆動部３３Ｋを駆動させ、回動演出体３３を回動させている。
【００３８】
カム機構ユニット５０は、全体が図３に示されており、後述するカム機構６０をケース５１内に収容し、前側に演出可動部材５８，５９を備え、後側にモータ５５（本発明の「回転駆動源」に相当する）を固定してなる。
【００３９】
ケース５１は、全体に横長形状で支持板３２Ｄの上辺右寄り部分に固定されている。図３に示すように、ケース５１の上面及び左右側面の後端寄り位置からは複数の螺子固定部５１Ｎが側方に張り出されており、支持板３２Ｄに形成された図示しない螺子孔に螺子固定されている。また、ケース５１は左側部分が右側部分よりも段付き状に上方に突出している。
【００４０】
ケース５１の前端壁５２Ａには前方に張り出した前方張出部５２Ｄが設けられている。前方張出部５２Ｄの上面は前側装飾枠２３の嵌合壁２３Ｋの右上部分の形状と略同一の形状となって嵌合壁２３Ｋに宛がわれている。また、前側張出部５２Ｄは左側部分が右側部分よりも前方への突出量が多くなった段付き状に形成されており、その中間部分は緩やかに連絡されている。
【００４１】
前方張出部５２Ｄのうち左側部分の下端縁には左前面貫通孔５２Ｃ１が貫通形成され、右側部分の下端縁には右前面貫通孔５２Ｃ１が貫通形成されている。この左右の前面貫通孔５２Ｃ１，５２Ｃ２の前方には演出可動部材５８，５９が備えられている。演出可動部材５８，５９は、パチンコ遊技機１０の遊技名又は遊技に登場するキャラクター名（図示せず）の文字を立体的に型取って形成されている。各演出可動部材５８，５９からは、後方に向かって支持軸５８Ｊ，５９Ｊが突き出されており、支持軸５８Ｊは左前面貫通孔５２Ｃ１の内部に挿通され、支持軸５９Ｊは右前面貫通孔５２Ｃ２の内部に挿通されている。なお、各演出可動部材５８，５９の内部には、電飾基板（図示しない）が収容されている。演出可動部材５８，５９の前面は光透過性樹脂で全体が覆われており、内部の電飾基板に実装された発光素子（例えばＬＥＤ）によって光らせることができる。
【００４２】
図４に示すように、ケース５１の後端壁５３Ａのうち下側部分には後方張出部５３Ｄが形成されている。後方張出部５３Ｄは後方に段付き状に張り出しており、その後端面は平坦で一部が支持板３２Ｄに当接している。また、後方張出部５３Ｄは後方から見て右側部分が上下方向で短くなっており、その後方張出部５３Ｄの右側部分の上方には本発明に係る軸移動溝７０及び駆動源固定部５３Ｅとが設けられている。軸移動溝７０及び駆動源固定部５３Ｅについては後で詳述する。
【００４３】
図５に示すように、ケース５１は、前側ケース体５２（本発明の「第１のケース構成体」に相当する）と後側ケース体５３（本発明の「第２のケース構成体」に相当する）とを組み合わせて形成されている。前側ケース体５２は前端壁５２Ａを有し、その外縁部から後方にケース側壁５２Ｂが起立している。ケース側壁５２Ｂのうち下側部分は、ケース５１の後端まで張り出している。また、前側ケース体５２の内面には、後側ケース体５３側に起立した円柱状の合体固定部５２Ｇが複数備えられている。一方、後側ケース体５３はケース５１の後端壁５３Ａを有し、その外縁部から前方に後側ケース側壁５３Ｂが起立している。後側ケース側壁５３Ｂのうち下側部分は、ケース側壁５２Ｂの上方に重ねられている。また、後端壁５３Ａのうち合体固定部５２Ｇに対向する位置には合体嵌合部５３Ｇが形成されている。合体嵌合部５３Ｇは合体固定部５２Ｇの先端が嵌合可能に前側ケース体５２側が陥没しており、合体固定部５２Ｇ及び合体嵌合部５３Ｇには、螺子孔が設けられ嵌合後に一体に固定可能になっている。なお、後側ケース体５３は透明な樹脂で成型されているので、ケース５１の後方からケース５１の内部を視認できるようになっている。
【００４４】
前側ケース体５２と後側ケース体５３とを組み合わせることにより、前端壁５２Ａ、後端壁５３Ａ、ケース側壁５２Ｂ及び後側ケース側壁５３Ｂとによって覆われたカム収容空間５４が形成されている。なお、ケース５１は前方から見て左側部分（図４の右側部分）が上方及び前方に突出しているので、カム収容空間５４は左側部分の方が右側部分よりも大きくなっている。以下、カム収容空間５４のうち左側の大きい部分を「大空間部屋５４Ｌ」という（図５参照）。
【００４５】
カム収容空間５４には本発明のカム機構６０が収容されている。カム機構６０は、図５に示したカム６１と、第１及び第２のカム従動部材６２，６３（本発明の「カム従動部材」に相当する）と、連絡カム６５と、付勢バネ６４，６４とから構成されており、以下詳細に説明する。
【００４６】
カム６１は、図７に示すように、カム収容空間５４のうち大空間部屋５４Ｌの略中央に収容されている。カム６１は後端壁５３Ａ側に後述する回転出力軸５５Ａ（図６参照）の先端が一体回転可能に固定され、後方から見て反時計回りに回転可能になっている。カム６１には回転出力軸５５Ａに接続される回転中心から４本の摺接羽６１Ｈが等間隔（即ち、９０度間隔）で放射状に延びている。各摺接羽６１Ｈには、回転中心から円弧を描いて離れる摺接離間面６１Ａと回転方向に垂直な垂直面６１Ｂとが回転方向に対して形成されている。また、カム６１の前端壁５２Ａ側を向いた端面６１Ｚは、前端壁５２Ａと平行な平坦面となっている。
【００４７】
第１及び第２のカム従動部材６２，６３は、カム収容空間５４内でカム６１を左右方向で挟んだ位置に収容されている。カム６１の左側（後方から見て右側）に配置される第１カム従動部材６２は、クランク状に２箇所で屈曲しており、一方の端部は前方から見て右下方に延び、他方の端部は左上方に延びている。右下方の端部には円筒形状の軸結合部６２Ｒが形成されている。軸結合部６２Ｒの筒内には、左側の演出可動部材５８から左前面貫通孔５２Ｃ１を介してカム収容空間５４内に突入している支持軸５８Ｊの先端が挿入され、一体回転可能に固定されている。第１カム従動部材６２のうち軸連結部６２Ｒ寄りの屈曲部分は段付き状に前方に突出しており、その角部には円柱状に前方に突き出た摺接突部６２Ｓが形成されている。摺接突部６２Ｓは前後方向に伸びた図示しない軸部を筒状の側壁６２Ｔに挿通してなり、側壁６２Ｔが周方向に回転可能になっている。第１カム従動部材６２のうち摺接突部６２Ｓが設けられた屈曲部分の後端壁５３Ａ側は、平坦な端面６２Ｕとなっている。第１カム従動部材６２のうち左上方の端部にはバネ係止部６２Ｂが形成されている。バネ係止部６２Ｂには後述する付勢バネ６４の端部を係止するための係止孔６２Ａが設けられている。
【００４８】
カム６１の右側（後方から見て左側）に配置される第２カム従動部材６３は、左右方向に略直線状に延びかつ、右端部、中間部、左端部を順に段付き状に前方に突出させた形状をしている。第２カム従動部材６３の中間部には回動軸６３Ｐが設けられている。回動軸６３Ｐは円柱形状となっており、図示しない連結棒を前端壁５２Ａ側に突き出している。前端壁５２Ａには回動軸６３Ｐに向かって突出した円筒状の右カム固定部５２Ｋが設けられており、その右カム固定部５２Ｋに連結棒が回転可能に軸支されている。第２カム従動部材６３の左端部には円柱状の摺接突部６３Ｓが前方に突出している。摺接突部６３Ｓは前後方向に伸びた図示しない軸部を筒状の側壁６３Ｔに挿通してなり、側壁６３Ｔが周方向に回転可能になっている。第２カム従動部材６３の左端部のうち摺接突部６３Ｓの後面側は、後端面５３Ａに対向する平坦な端面６３Ｕとなっており、その上方にはバネ係止部６３Ｂが上方に張り出して形成されて後述する付勢バネ６４が係止されている。また、第２カム従動部材６３の右端部には前方に突出した円柱状の連結突起６３Ｑが形成されている。
【００４９】
第２カム従動部材６３と右側（後方から見て左側）の右前面貫通孔５２Ｃ２との間には連絡カム６５が取り付けられている。連絡カム６５は左右方向に略直線状に延びかつ、第２カム従動部材６３側が右前面貫通孔５２Ｃ２側よりも前方に段付き状に突出している。連絡カム６５のうち右前面貫通孔５２Ｃ２側には円筒形状の軸結合部６５Ｒが形成され、第２カム従動部材６３側には楕円形状の連結孔６５Ａが貫通形成されている。軸結合部６５Ｒの内部には、右側（後方から見て左側）の演出可動部材５９から右前面貫通孔５２Ｃ２を介してカム収容空間内５４に突入している支持軸５９Ｊの先端が挿入され、一体回転可能に固定されている。連絡カム６５の第２カム従動部材６３側端部は第２カム従動部材６３の右端部の前方に重ねて配置され、連結突起６３Ｑが連結孔６５Ａの内部に受容されている。
【００５０】
第２カム従動部材６３が回動し摺接突部６３Ｓが下方に移動すると、連結突起６３Ｑは上方に移動する。連結突起６３Ｑが上方に移動すると連絡カム６５の連結孔６５Ａが上方に移動する方向に回転し、連絡カム６５の回転に伴い演出可動部５９が前方から見て時計回りに回動する。
【００５１】
カム収容空間内５４のうち第１カム従動部材６２の上方及び第２カム従動部材６３の上方にはそれぞれバネ固定部５７，５７が形成されている。各バネ固定部５７，５７には付勢バネ６４，６４の一端が固定され、他端は対応する第１又は第２カム従動部材６２,６３のバネ係止部６２Ｂ，６３Ｂに係止されている。これにより、第１及び第２のカム従動部材６２，６３は、後方から見て反時計回りに付勢され、各摺接突部６２Ｓ，６３Ｓがカム６１側に押し付けられている。以上がカム機構６０についての説明である。
【００５２】
さて、図５に示すように、後側ケース体５３の後端壁５３Ａのうちカム６１の後方の部分は駆動体固定部５３Ｅとなっている。駆動体固定部５３Ｅには「コ」の字状に後方に突出した２つの位置決め突起５３Ｈ，５３Ｈが形成されている。各置決め突起５３Ｈ，５３Ｈは、駆動体固定部５３Ｅのうちカム６１の回転中心の後方部分を中心にした対称位置に、「コ」の字の開放側が互いに対向させて配置されている。後方から見て右側の位置決め突起５３Ｈは、左側の位置決め突起５３Ｈよりも上方に配置されている。また、駆動体固定部５３Ｅのうち各位置決め突起５３Ｈ，５３Ｈの「コ」の字の中心位置には固定孔５３Ｆが形成されている。
【００５３】
図４に示すように、位置決め突起５３Ｈ，５３Ｈの間にはモータ５５が固定されている。詳細には、モータ５５は駆動体固定部５３Ｅ側に減速機５５Ｇを一体化して備えた構造になっており、減速機５５Ｇにおける前端部からは、位置決め突起５３Ｈ，５３Ｈ内に向けて固定片５５Ｈ，５５Ｈが張り出している。固定片５５Ｈは略直方体形状をなし、その中心には前後方向に取付孔５５Ｔが貫通形成されている。各固定片５５Ｈの側面は、位置決め突起５３Ｈ，５３Ｈの内側面に対向して当接しており、モータ５５本体が位置決めされている。そして、モータ５５は、取付孔５５Ｔに図示しない螺子又はリベットを固定孔５３Ｆに挿入して固定されている。
【００５４】
モータ５５の減速機５５Ｇからは、ケース５１内部に向けて回転出力軸５５Ａが突出されている。図６に示すように、回転出力軸５５Ａの先端は、カム６１の回転中心に固定され一体回転可能となっている。また、回転出力軸５５Ａのうちモータ５５とカム６１との中間位置には、回転出力軸５５Ａから垂直に張り出した位置検出用円板５５Ｋが一体回転可能に固定されている。この位置検出用円板５５Ｋには中心部から一端縁にかけて延びて縁部で開放した検出スリット５５Ｓが形成されている。
【００５５】
後端壁５３Ａの内面のうち回転出力軸５５Ａの上方には、位置検出用基板５６が固定されている。位置検出用基板５６には、互いに隙間を開けて対峙した１対の対向突部５６Ｔ，５６Ｔが回転出力軸５５Ａの軸方向に並べて備えられており、その１対の対向突部５６Ｔ，５６Ｔの間には位置検出用円板５５Ｋが受容されている。各対向突部５６Ｔ，５６Ｔの内部には図示しない１対の位置検出素子が固定されており、１対の位置検出素子は相互間で信号（例えば赤外線）を送受信することが可能となっている。
【００５６】
１対の位置検出素子による信号の送受信は、通常は位置検出用円板５５Ｋによって遮られるが、位置検出用円板５５Ｋが所定の回転位置になると、位置検出用円板５５Ｋの検出スリット５５Ｓを通して１対の位置検出素子の間で信号の送受信が可能になる。位置検出用円板５５Ｋはカム６１と一体に回転するので、カム６１が所定の回転位置に配置されているか否かを検出することができる。
【００５７】
後端壁５３Ａのうち駆動体固定部５３Ｅから後側ケース体５３における後方から見て右側縁部に到る部分には、軸移動溝７０が貫通形成されている。軸移動溝７０の後方から見て右端は開放しており側方開放口７０Ｂとなっており、軸移動溝７０の左端の奥部は、カム６１の回転中心と前後方向で重なっている。軸移動溝７０の奥部は、半円状に形成されており、その円の中心には回転出力軸５５Ａが挿通されて、回転出力軸５５Ａの基端部が軸移動溝７０によって側方から受容されている。また、軸移動溝７０の溝幅は、回転出力軸５５Ａの太さの約１．５倍となっており、軸移動溝７０の内部で回転出力軸５５Ａを回転又は移動させることが可能となっている。なお、カム６１の大きさは軸移動溝７０の溝幅よりも大きいので、カム６１を固定した回転出力軸５５Ａは軸方向で軸移動溝７０から抜けることはない。
【００５８】
軸移動溝７０の内側面のうち下方を向いた内側面の左右方向の中間位置には、丸みを帯びて下方に膨出した逆戻り規制突部７１が形成されている。逆戻り規制突部７１と、後方から見て右側の位置決め突部５３Ｈとは、前後に重ねて配置されており、後端壁５３Ａのスペースの有効利用が図られている。また、軸移動溝７０の内側面うち逆戻り規制突部７１に対向する部分には下方に丸みを帯びて窪んだ内側面凹部７０Ａが形成されている。
【００５９】
本実施形態の構成に関する説明は以上である。次に、上記構成からなる本実施形態の作用、効果を説明する。本実施形態のパチンコ遊技機１０では、遊技者の目に止まりやすい液晶表示画面３４の周囲に複数の可動部材が備えられている。それら可動部材のうちの回動演出体３３は通常は静止しているが、例えば遊技状態が大当たり状態やリーチ状態となる等、遊技の進行状況に応じて、液晶表示画面３４の前方側に回動するようになっている。
【００６０】
液晶表示画面３４の上部の演出可動部材５８，５９は、通常は静止しているが、遊技の進行状況に応じて回動演出体３３等と共に、又は単独で往復動作を行う。この演出可動部材５８，５９は、モータ５５の一方向の回転力を、カム機構６０によって変換して往復動作を行っている。
【００６１】
具体的には、モータ５５によってカム６１が後方から見て反時計回りに回動するのに伴い、第１及び第２のカム従動部材６２，６３の摺接突部６２Ｓ，６３Ｓはカム６１の摺接離間面６１Ａに摺接しながら移動する。摺接離間面６１Ａは先端に近づくに従ってカム６１の回転中心から徐々に離れているので、摺接突部６２Ｓ，６３Ｓがカム６１の摺接離間面６１Ａの基端部に当接している状態（図７の状態）から、摺接離間面６１Ａの先端部に当接した状態（図８の状態）に移動すると、摺接突部６２Ｓ，６３Ｓはカム６１の回転中心から離れる方向に押圧され、それに伴い付勢バネ６４，６４の弾性力に反して第１及び第２のカム従動部材６２，６３が後方から見て時計回りに回動する。第１カム従動部材６２と演出可動部材５８とは支持軸５８Ｊによって連結されているので、第１カム従動部材６２が後方から見て時計回りに回動すると、演出可動部材５８は前方から見て反時計回りに回動する（図９（Ａ）から図９（Ｂ）に変化する）。また、第２カム従動部材６３が後方から見て時計回りに回動すると、連絡カム６５は後方から見て反時計回りに回動する。連絡カム６５は支持軸５９Ｊによって演出可動部材５９と連結されているので、連絡カム６５が後方から見て反時計回りに回動すると演出可動部材５９は前方から見て時計回りに回動する（図９（Ａ）から図９（Ｂ）に変化する）。
【００６２】
カム６１が更に回動を続けて摺接突部６２Ｓ，６３Ｓが摺接離間面６１Ａの先端を乗り越えると、付勢バネ６４，６４の弾性力により、摺接突部６２Ｓ，６３Ｓは隣の摺接離間面６１Ａの基端部に当接した状態になる（図７の状態）。その状態での演出可動部材５８，５９は、図９（Ａ）に示すように、左側の演出可動部材５８は、反転して時計回りに回転し、右側の演出可動部材５９は反時計回りに回転した状態になる。カム６１が回動を続けると、演出可動部材５８，５９はこの往復回動を繰り返し行う。
【００６３】
このような往復動作を繰り返す本実施形態のカム機構ユニット５０を組み立てる際には、先ず、図５に示すように、モータ５５の回転出力軸５５Ａにおける先端部にカム６１を一体回転可能に固定しておき、モータ５５の回転出力軸５５Ａにおける基端部を後側ケース体５３に形成された軸移動溝７０の側方開放口７０Ｂに進入させる。このとき、モータ５５の本体を後側ケース体５３の後面側に配置する一方、カム６１を後側ケース体５３の前面側に配置する。そして、モータ５５の本体とカム６１との間に後側ケース体５３における軸移動溝７０の縁部を挟んだ状態してその軸移動溝７０の奥側へとモータ５５を移動して行く。
【００６４】
軸移動溝７０のうち逆戻り規制突部７１を設けた部分では、逆戻り規制突部７１に対向した部分が内側面凹部７０Ａとなって窪ませてあるので、軸移動溝７０が幅狭になるのを回避されている。図１０に示すように、逆戻り規制突部７１の部分で内側面凹部７０Ａ側に移動すれば、スムーズにモータ５５を軸移動溝７０の奥部に移動して、図１２に示すように、軸移動溝７０の奥部にモータ５５の回転出力軸５５Ａを配置することができる。これにより、後側ケース体５３に対してモータ５５が回転及び平行移動が可能な仮組み付け状態になる。なお、この仮組み付け状態では、モータ５５の回転出力軸５５Ａが軸移動溝７０の側方開放口７０Ｂ側に移動したとしても、図１１に示すように、逆戻り規制突部７１により側方開放口７０Ｂ側に移動することを規制される。
【００６５】
次に、この仮組み付け状態となった後側ケース体５３を前側ケース体５２に接近させる。その際、前側ケース体５２の下側のケース側壁５２Ｂの上に後側ケース体５３の下側の後側ケース側壁５３Ｂを重ね、他の前後のケース側壁５２Ｂ，５３Ｂの後端と前端とを前後に合わせて配置すると共に、合体固定部５２Ｇと合体嵌合部５３Ｇとが嵌合される正規取付位置に配置する必要がある。さらに、カム６１の摺接離間面６１Ａに第１及び第２のカム従動部材６２，６３の摺接突部６２Ｓ，６３Ｓの側面が摺接するように配置する必要もある。
【００６６】
接近の途中で、カム６１の端面６１Ｚと第１及び第２のカム従動部材６２，６３の端面６２Ｕ，６３Ｕ同士が当接した場合には、モータ５５の回転出力軸５５Ａを後側ケース体５３に対して、軸移動溝７０内で回転又は平行移動させて、カム６１の端面６１Ｚと、第１及び第２のカム従動部材６２，６３の端面６２Ｕ，６３Ｕ同士の当接範囲が減るように調節する。これにより、後側ケース体５３と前側ケース体５２との正規組付位置から従来のように大きくずらさなくても、カム６１と第１及び第２のカム従動部材６２，６３の摺動面同士が対向する位置に位置合わせして、後側ケース体５３を前側ケース体５２に接近させることができ、その後、容易に後側ケース体５３を前側ケース体５２の正規取付位置に移動して前側と後側のケース体５２，５３同士を合体させることができる。
【００６７】
前側と後側のケース体５２，５３同士を合体させた後、図１３に示すように、モータ５５を軸移動溝７０内で逆戻り規制突部７１の部分まで平行移動して回転させ、モータ５５の固定片５５Ｈを位置決め突起５３Ｈ内に受容されるように回転させつつ再び正規組付位置に並行移動する。モータ５５を固定すればカム機構ユニット５０を組み立ては完了する。なお、カム６１と第１及び第２のカム従動部材６２，６３の摺動面同士が対向する位置に位置合わせした後でモータ５５の回転や平行移動を行っても、カム６１と第１及び第２のカム従動部材６２，６３の摺動面同士が摺接した状態のままで回転や平行移動をするので、摺動面同士が対向する位置から外れることがない。
【００６８】
このように本実施形態のパチンコ遊技機では、モータ５５を固定する後端壁５３Ａに軸移動溝７０を設けて、モータ５５を固定する前の仮組み付け状態で、前側と後側のケース体５２，５３を組み合わせることができる。これにより、両ケース体５２，５３の合体の過程でモータ５５の回転出力軸５５Ａを軸移動溝７０内で移動させて調節することができるので、両ケース体５２，５３を容易に合体させることが可能となり、組み付け作業を従来より容易に行うことができる。しかも、モータ５５の回転出力軸にカムを直に固定したので、従来のギヤ（図１６参照）が不要になり製造コストを抑えることもできる。さらに、１つのカム６１で複数の演出可動部材を往復動作させることができ、それらを１つのモータ５５で駆動させることができるので、コストの上昇を抑えることができる。
【００６９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７０】
（１）前記実施形態では、パチンコ遊技機１０に本発明を適用していたが、遊技機であれば、コイン遊技機やスロットマシン、アレンジボール等に備えてもよい。
【００７１】
（２）前記実施形態では、軸移動溝７０の内側面のうち逆戻り規制突部７１に対向した部分を窪ませて内側面凹部７０Ａを設けることで、幅狭になることを回避していたが、図１４に示すように、内側面凹部７０Ａを設けずに、逆戻り規制突部７１を備えた中間位置が幅狭になっていてもよい。
【００７２】
（３）前記実施形態では、逆戻り規制突部７１は丸みを下方に帯びて膨出していたが、図１５に示すように、軸移動溝７０の奥部側に対向した平坦面を有した逆戻り規制突部７１Ｖを設けてもよい。
【００７３】
（４）前記実施形態におけるモータ５５として各種モータを採用可能であるが、ステッピングモータを採用するとより好ましい。
【００７４】
（５）カム機構ユニット５０は後側装飾枠３２に固定されていたが、前側装飾枠２３に固定してもよい。また、パチンコ遊技機１０において遊技者から視認可能な他の位置に設けてもよい。
【図面の簡単な説明】
【００７５】
【図１】本発明の一実施形態に係るパチンコ遊技機の正面図
【図２】遊技板、前側装飾枠及び後側装飾枠の分解斜視図
【図３】カム機構ユニットの斜視図
【図４】カム機構ユニットの背面図
【図５】カム機構ユニットの分解斜視図
【図６】位置検出用円板及び位置検出用基板を表す斜視図
【図７】カム機構を表す背面図
【図８】カム機構を表す背面図
【図９】演出可動部材の往復動作を表す正面図
【図１０】逆戻り規制突部を避けて軸移動溝を移動するモータの側面図
【図１１】逆戻り規制突部によって側方開放口への移動が規制されるモータの斜視図
【図１２】モータの仮組み付け状態を表す背面図
【図１３】ケース形成後にモータを軸移動溝内でずらした状態の背面図
【図１４】変形例の後側ケース体の背面図
【図１５】変形例の後側ケース体の背面図
【図１６】従来のカム機構の斜視図
【符号の説明】
【００７６】
１０    パチンコ遊技機
３２    後側装飾枠（装飾枠）
３４    液晶表示装置
５０    カム機構ユニット
５１    ケース
５２    前側ケース体（第１のケース構成体）
５２Ａ    前端壁
５２Ｂ    ケース側壁
５２Ｃ１    左前面貫通孔（前面貫通孔）
５２Ｃ２    右前面貫通孔（前面貫通孔）
５３    後側ケース体（第２のケース構成体）
５３Ａ    後端壁
５３Ｅ    駆動体固定部
５３Ｆ    固定孔
５３Ｈ    位置決め突起
５４    カム収容空間
５５    モータ（回転駆動源）
５５Ａ    回転出力軸
５５Ｈ    固定片
５５Ｋ    位置検出用円板
５５Ｓ    検出スリット
５５Ｔ    取付孔
５６Ｔ    対向突部
５８，５９    演出可動部材
６０    カム機構
６１    カム
６２    第１カム従動部材（カム従動部材）
６３    第２カム従動部材（カム従動部材）
７０    軸移動溝
７０Ａ    内側面凹部
７０Ｂ    側方開放口
７１，７１Ｖ    逆戻り規制突部
【図１】
0005101245.tif 000002
【図２】
0005101245.tif 000003
【図３】
0005101245.tif 000004
【図４】
0005101245.tif 000005
【図５】
0005101245.tif 000006
【図６】
0005101245.tif 000007
【図７】
0005101245.tif 000008
【図８】
0005101245.tif 000009
【図９】
0005101245.tif 000010
【図１０】
0005101245.tif 000011
【図１１】
0005101245.tif 000012
【図１２】
0005101245.tif 000013
【図１３】
0005101245.tif 000014
【図１４】
0005101245.tif 000015
【図１５】
0005101245.tif 000016
【図１６】
0005101245.tif 000017